(57)【要約】【課題】水位検知金属管が水と接触することを回避でき、作製プロセスが簡単化になる加湿機の構造を提供すること。【解決手段】水位検知金属管と装置本体は一体成形され、且つ前記水位検知金属管は、装置本体の内部に収容され、回路基板と電気的に連接し、前記装置本体は貯水槽を有し、前記貯水槽の内部には霧化装置が組付けてあり、また、前記装置本体の上縁には排気カバーが設けてあり、前記排気カバーは、内側に排気装置が設けてあり、且つ噴霧口を有し、前記霧化装置は超音波発振器であることを特徴とする。【選択図】図５
0003119637.tif 000002
【実用新案登録請求の範囲】
【請求項１】
水位検知金属管と装置本体は一体成形され、
且つ前記水位検知金属管は、装置本体の内部に収容され、
回路基板と電気的に連接し、
前記装置本体は貯水槽を有し、
前記貯水槽の内部には霧化装置が組付けてあり、
前記装置本体の上縁には排気カバーが設けてあり、
前記排気カバーは、内側に排気装置が設けてあり、且つ噴霧口を有することを特徴とする、
加湿機の構造。
【請求項２】
前記霧化装置は超音波発振器であることを特徴とする、請求項１に記載の加湿機の構造。
【考案の詳細な説明】
【技術分野】
【０００１】
本考案は、加湿機の構造に係り、特に、水位検知金属管と装置本体とを一体成形することにより、水位検知金属管が水と接触することを回避でき、作製プロセスが簡単化になる加湿機の構造に関するものである。
【背景技術】
【０００２】
目下、住宅の高密度化およびエアコンの普及に従って、風邪とアレルギーとを防止するために、加湿機を使用することは広汎になり、加湿機により水の霧が乾燥の室内に放出され、室内の湿度を向上する。
【０００３】
一般の加湿機は、樹脂射出成形で作製された装置本体を採用し、また、装置本体の内部に水槽が設けてあり、前記水槽内には水位を検知するためのセンサーが設置してあり、また、前記水槽には水を霧化するための霧化器が設けてあり、前記霧化器は超音波発振器でもよく、超音波発振器が発振して水を霧化した後、装置本体の上方に設けたファンにより霧化された水が大気に排出される。
【０００４】
一般の加湿機に使用される水位検知センサーは、図１に示すように、浮きボール磁気リードスイッチまたはホールトランジスター・スイッチなどを採用するが、浮きボール磁気リードスイッチを採用する場合には、浮きボールの体積により加湿機は小型化できず、ひいては加湿機が携帯し難くなる。上記課題を解決するために、図２に示すような探り針式検知スイッチ３が採用されるようになる。だが、探り針式検知スイッチ３が作動するときに、水槽内の水が電解され、電解された水にはゴミが発生し、これにより、超音波発振器は損壊し易くなる。そのため、コンデンサー式検知スイッチが開発され、コンデンサー式検知スイッチは、水槽に開設された貫通孔を挿通して突出した水位検知金属管と、前記水位検知金属管を包む熱収縮スリーブとから構成されたものであり、前記熱収縮スリーブと貫通孔との間にはシリコンが注入され、これにより、水は前記水位検知金属管と接触しないようになる。しかし、ゴム製の熱収縮スリーブは、長期間に使用されたと超音波の衝撃により酸化や腐食され易く、ひいては水漏れになる。そのため、だから、防水性を向上するために、熱収縮スリーブで水位検知金属管を包んだ後に、前記熱収縮スリーブと貫通孔との間にはシリコンを注入することは必要になる。そうすると、生産プロセスは複雑になり、生産コストは無駄に向上する。
【考案の開示】
【考案が解決しようとする課題】
【０００５】
本考案の主な目的は、水位検知金属管が水と接触することを回避でき、作製プロセスが簡単化になる加湿機の構造を提供することにある。
【課題を解決するための手段】
【０００６】
上記目的を達成するためになされた本願の考案は、水位検知金属管と装置本体は一体成形され、且つ前記水位検知金属管は、装置本体の内部に収容され、回路基板と電気的に連接し、前記装置本体は貯水槽を有し、前記貯水槽の内部には霧化装置が組付けてある。また、前記装置本体の上縁には排気カバーが設けてある。前記排気カバーは、内側に排気装置が設けてあり、且つ噴霧口を有することを特徴とする加湿機の構造であることを要旨としている。
【０００７】
本願の考案では、前記霧化装置は超音波発振器でもいいことを特徴とする請求項１に記載の加湿機の構造であることを要旨としている。
【考案の効果】
【０００８】
本考案に係る加湿機の構造によれば、次のような効果がある。
（イ）装置本体を射出成形する直前に、水位検知金属管を金型内に設置することにより、水位検知金属管は樹脂製の装置本体と一体になり、だから、装置本体内に包まれた水位検知金属管は貯水槽内の水と接触しなくなり、従来の熱収縮スリーブで水位検知金属管を包んだ方式と比較すると、本考案は、長期間に使用しても腐食や破裂が発生しないので、耐久性はもっと良くなる。
【０００９】
（ロ）装置本体を射出成形する直前に、水位検知金属管を金型内に設置することにより、水位検知金属管は樹脂製の装置本体と一体になり、だから、従来の熱収縮スリーブで水位検知金属管を包んだ方式と比較すると、熱収縮スリーブと貫通孔との間にはシリコンを注入する工程は必要なくなり、そうすると、生産プロセスは簡単化になり、生産コストは低減になる。
【考案を実施するための最良の形態】
【００１０】
以下、添付図面を参照して本考案の好適な実施の形態を詳細に説明する。
【００１１】
まず、図３乃至図８を参照する。本考案に係る加湿機１は、装置本体１１を射出成形する直前に、水位検知金属管１２を金型内に設置することにより、水位検知金属管１２は樹脂製の装置本体１１の収容空間１１１内に包まれて装置本体１１と一体になり、また、電気容量およびインダクタンスの変化を検知するために、前記水位検知金属管の底端は回路基板１３と電気的に連接し、前記装置本体１１は貯水槽１１２を有し、前記貯水槽１１２の内部には霧化装置１４が組付けてある。また、前記装置本体１１の上縁には排気カバー１５が設けてあり、前記排気カバー１５は、内側に排気装置が設けてあり、且つ噴霧口１５１を有する。
【００１２】
次に、本考案の使用方法を詳細に説明する。まず、装置本体１１の貯水槽１１２に水を注入して加湿機１を起動して、霧化装置１４により貯水槽１１２内の水を霧化させて、霧化された水が排気カバー１５にある噴霧口１５１から大気に排出され、このとき、前記水位検知金属管１２により、貯水槽１１２内の水の水位変化が即時に検知され、水位が低すぎた場合には、水量不足で持続運転による損壊を回避するために、霧化装置１４が停止され、また、水位検知金属管１２と装置本体１１は一体に成形され、装置本体１１内に包まれた水位検知金属管１２は貯水槽１１２内の水と接触しないので、加湿機１の運転はもっと安定になる。
【図面の簡単な説明】
【００１３】
【図１】従来の浮きボール式磁気リードスイッチを採用した加湿機の分解斜視図である。
【図２】従来の探り針式スイッチを採用した加湿機の斜視図である。
【図３】本考案に係る加湿機の組合状態を示す斜視図である。
【図４】本考案に係る加湿機の分解斜視図１である。
【図５】本考案に係る加湿機の分解斜視図２である。
【図６】本考案に係る加湿機の上面図である。
【図７】本考案に係る加湿機の断面図１である。
【図８】本考案に係る加湿機の断面図２である。
【符号の説明】
【００１４】
１        加湿機                    １１      装置本体
１１１    収容空間                  １１２    貯水槽
１２      水位検知金属管            １３      回路基板
１４      霧化装置                  １５      排気カバー
１５１    噴霧口                    ２        浮きボール
３        探り針式検知スイッチ
【図１】
0003119637.tif 000003
【図２】
0003119637.tif 000004
【図３】
0003119637.tif 000005
【図４】
0003119637.tif 000006
【図５】
0003119637.tif 000007
【図６】
0003119637.tif 000008
【図７】
0003119637.tif 000009
【図８】
0003119637.tif 000010